(57)【特許請求の範囲】
【請求項１】
ディジタルオーディオデータのＮ倍速記録再生モードを有する記録再生装置と、
上記ディジタルオーディオデータのＮ倍速記録再生が可能なランダムアクセス記録再生装置と、
上記記録再生装置が記録媒体から再生した編集の下地となるディジタルオーディオ下地データに、上記ランダムアクセス記録再生装置からの素材データを使って編集処理を施す編集制御装置とを具え、
上記編集制御装置は、
上記記録再生装置が再生した上記下地データを、フレーム単位で分割されたディジタルオーディオデータの各フレーム当たりのサンプル数を所定のフレーム周期で繰り返すフレームシーケンスが判別できる長さだけ上記ランダムアクセス記録再生装置に取り込ませ、
上記ランダムアクセス記録再生装置内に取り込まれた上記所定長さの下地データに対する編集点に対して上記素材データをクロスフェード処理し、
上記クロスフェード処理後の編集データを上記記録再生装置に出力する
ことを特徴とする編集システム。
【請求項２】
上記編集制御装置は、クロスフェード処理を伴った繋ぎ撮り編集を行うことを特徴とする請求項１記載の編集システム。
【請求項３】
上記編集制御装置は、クロスフェード処理を伴った挿入編集を行うことを特徴とする請求項１記載の編集システム。
【請求項４】
Ｎ倍速記録再生モードを有する記録再生装置により記録媒体から編集の下地となるディジタルオーディオ下地データを、フレーム単位で分割されたディジタルオーディオデータの各フレーム当たりのサンプル数を所定のフレーム周期で繰り返すフレームシーケンスが判別できる長さだけ再生する工程と、
上記再生した下地データを、Ｎ倍速記録再生が可能なランダムアクセス記録再生装置に取り込む工程と、
上記ランダムアクセス記録再生装置内に取り込まれた上記所定長さの下地データに対する編集点に対して素材データをクロスフェード処理して繋げる工程と、
上記クロスフェード処理後のデータを上記記録再生装置に出力する工程と
を含むことを特徴とする編集方法。
【請求項５】
上記ランダムアクセス記録再生装置内に取り込まれた上記下地データに対する上記素材データのサンプル数が過不足している場合には、上記素材データを使ってサンプル数を調整することを特徴とする請求項４記載の編集方法。
【発明の詳細な説明】
【０００１】
【発明の属する技術分野】
本発明は、異なる記録再生装置間でオーディオビジュル（ＡＶ）データの編集を行う編集システム及び方法に関する。
【０００２】
【従来の技術】
放送局等で、オーディオビジュアル（ＡＶ）データを編集する際には、ダビングを繰り返しても信号劣化の無いディジタルＶＴＲを用いている。
【０００３】
例えば、ディジタルＶＴＲに記録されているいわゆる下地情報に、他の記録再生装置、例えば高速ランダムアクセスを可能とするハードディスクドライブ（ＨＤＤ）に記録された素材情報を繋ぎ撮り（ASSEMBLE、以下アセンブルという。）編集したり、挿入（INSERT、以下インサートという。）編集して、新しい編集ファイルを作成している。
【０００４】
ところで、ディジタルＶＴＲには、欠落なくデータを読み取って例えば４倍のスピードで転送するために４系統（チャンネル）でデータを並列に取り出してから処理を施すようなタイプのものがある。
【０００５】
このように４チャンネルでデータを並列に取り出して処理できるディジタルＶＴＲでは、例えば４倍の速度でのデータの記録再生を可能とする。
【０００６】
【発明が解決しようとする課題】
しかし、上記４倍速記録再生を可能とするようなディジタルＶＴＲとＨＤＤとを使った編集システムはデータ転送レートが高く、ディスク容量、メモリ容量に対するコストの制約からまだ実現されていない。
【０００７】
従来の編集システムでは、アナログＶＴＲからのアナログ信号出力をＡ／Ｄ変換して、記録する例はあったもののせいぜい２倍速止まりであった。
【０００８】
そこで、本発明は、上記実情に鑑みてなされたものであり、Ｎ倍速の編集により、編集時間を短縮できる編集システム及び方法の提供を目的とする。
【０００９】
【課題を解決するための手段】
本発明に係る編集システムは、上記課題を解決するために、ディジタルオーディオデータのＮ倍速記録再生モードを有する記録再生装置と、上記ディジタルオーディオデータのＮ倍速記録再生が可能なランダムアクセス記録再生装置と、上記記録再生装置が記録媒体から再生した編集の下地となるディジタルオーディオ下地データに、上記ランダムアクセス記録再生装置からの素材データを使って編集処理を施す編集制御装置とを具え、上記編集制御装置は、上記記録再生装置が再生した上記下地データを、フレーム単位で分割されたディジタルオーディオデータの各フレーム当たりのサンプル数を所定のフレーム周期で繰り返すフレームシーケンスが判別できる長さだけ上記ランダムアクセス記録再生装置に取り込ませ、上記ランダムアクセス記録再生装置内に取り込まれた上記所定長さの下地データに対する編集点に対して上記素材データをクロスフェード処理し、上記クロスフェード処理後の編集データを上記記録再生装置に出力する。
【００１０】
また、本発明に係る編集装置にあって、上記編集制御装置は、クロスフェード処理を伴った繋ぎ撮り編集を行う。また、クロスフェード処理を伴った挿入編集を行う。
【００１１】
また、本発明に係る編集方法は、上記課題を解決するために、Ｎ倍速記録再生モードを有する記録再生装置により記録媒体から編集の下地となるディジタルオーディオ下地データを、フレーム単位で分割されたディジタルオーディオデータの各フレーム当たりのサンプル数を所定のフレーム周期で繰り返すフレームシーケンスが判別できる長さだけ再生する工程と、上記再生した下地データを、Ｎ倍速記録再生が可能なランダムアクセス記録再生装置に取り込む工程と、上記ランダムアクセス記録再生装置内に取り込まれた上記所定長さの下地データに対する編集点に対して素材データをクロスフェード処理して繋げる工程と、上記クロスフェード処理後のデータを上記記録再生装置に出力する工程とを含む。また、この編集方法は、上記ランダムアクセス記録再生装置内に取り込まれた上記下地データに対する上記素材データのサンプル数が過不足している場合には、上記素材データを使ってサンプル数を調整する。
【００１２】
【発明の実施の形態】
以下、本発明に係る編集システム及び方法の実施例を説明する。この実施例は、図１に示すように、例えば４倍速記録再生モードを有し４倍速でオーディオビジュアル（ＡＶ）データを記録再生するディジタルＶＴＲ１と、例えば４倍速記録再生が可能なランダムアクセス記録再生装置であるハードディスクドライブ（ＨＤＤ）２と、ディジタルＶＴＲ１が記録テープから再生した編集の下地となる下地ＡＶデータに、ＨＤＤ２からの素材ＡＶデータを使って編集処理を施す編集制御装置３とを備えてなる編集システム５である。なお、ディジタルＶＴＲ１自体には、例えば４倍速での編集機能が備えられていない。
【００１３】
以下、この編集システム５では、ＮＴＳＣ用のビデオデータの１フレームに割り当てられるオーディオデータについての編集について説明する。ビデオデータそのものの編集処理については省略する。
【００１４】
また、ビデオデータの１フレームに対するオーディオデータのサンプル数の割当は、ディジタルＶＴＲがＮＴＳＣではオーディオデータ用に例えば４８ＫＨｚというサンプリング周波数を用いているので、単純に計算すると（（４８ＫＨｚ／５９．９４フィールド）×２フィールド／フレーム＝）１６０１．６サンプル／フレームとなり、整数とならないので、１６０１．６サンプル／フレームの５フレーム分、すなわち８００８サンプルを考慮し、５フレーム周期で一度１６００サンプル／フレームとなり、他が１６０２サンプル／フレームとなるような１６００→１６０２→１６０２→１６０２→１６０２サンプル／フレームという５フレームのオーディオフレーム（ＡＦ）シーケンスで行っている。
【００１５】
図１において、編集制御装置３は、システム制御部４１と、ＶＴＲ／ＨＤＤ制御部４２と、シリアルデータＩ／Ｆ部４３と、ＨＤＤ制御部４４とを備えてなる。
【００１６】
システム制御部４１は外部に接続された操作部５１でのユーザによる例えば、記録、再生及び４倍速記録再生の指示に応じ、ＶＴＲ／ＨＤＤ制御部４２と、シリアルデータＩ／Ｆ部４３と、ＨＤＤ制御部４４の動作を制御する。表示部５２には、操作部５１により操作された内容が表示される。また、システム制御部４１は、ＶＴＲ／ＨＤＤ制御部４２、シリアルデータＩ／Ｆ部４３及びＨＤＤ制御部４４に破線で示すように同期信号を供給し、編集制御装置３全体を同じ同期信号で動作させる。さらに、システム制御部４１は、ディジタルＶＴＲ１にも同期信号を供給している。
【００１７】
操作部５１よりシステム制御部４１を介して与えられた各種コマンドはＶＴＲ／ＨＤＤ制御部４２に供給される。ＶＴＲ／ＨＤＤ制御部４２は、上記コマンドを編集用コントロール信号に変換し、ディジタルＶＴＲ１の編集動作を制御すると共に、ＨＤＤ制御部４４に供給し、ＨＤＤ２の動作を制御させる。
【００１８】
このＶＴＲ／ＨＤＤ制御部４２は、図２に示すように、２箇所の入出力ポートを持つデュアルポートラム（dual port ＲＡＭ、ＤＰＲＡＭ）６１と、ＣＰＵ６３，ＲＯＭ６４及びＲＡＭ６５を有するメインＣＰＵブロック６２と、コントロール信号用Ｉ／Ｆ６６とを備えてなる。
【００１９】
システム制御部４１からのコマンド／ステータスは、ＤＰＲＡＭ６１を経由しメインＣＰＵブロック６２に通信される。メインＣＰＵブロック６２は、上記コマンド／ステータスをシステム制御部４１から供給される同期信号に基づいてコントロール信号のフォーマットに変換する。そして、このコントロール信号は、コントロール信号用Ｉ／Ｆ６６を介してディジタルＶＴＲ１に供給される。また、メインＣＰＵブロック６２は、システム制御部４１からの命令をＨＤＤ制御部４４用にも変換する。
【００２０】
シリアルデータＩ／Ｆ部４３は、シリアルデータ用ケーブル４を介してディジタルＶＴＲ１から送られてくるシリアルのディジタルデータをＨＤＤ制御部４４を介してＨＤＤ２に送ると共に、ＨＤＤ２からのディジタルデータのフレームサイズを変換した後、シリアルデータ用ケーブル４を介してディジタルＶＴＲ１に送る。
【００２１】
シリアルデータＩ／Ｆ部４３は、図３に示すように、シリアルデータ用ケーブル４、及び入力端子７０を介してディジタルＶＴＲ１から供給されるディジタルデータ用のシリアルデータＩ／Ｆ７１と、このシリアルデータＩ／Ｆ７１を介したシリアルのディジタルデータをパラレルデータに変換するシリアル−パラレル変換部７２と、シリアル−パラレル変換部７２からのパラレルのディジタルデータについてヘッダ情報とＡＶデータを分離すると共に後述するようにＡＶデータにヘッダを付加するヘッダ／データ分離部／付加部７３と、ヘッダ／データ分離部／付加部７３からのＡＶデータからオーディオデータのみを抜き取ると共に後述するようにオーディオデータとビデオデータとを混合するオーディオデータ分離／混合部７４と、オーディオデータ分離／混合部７４で抜き出されたオーディオデータが格納されると共に、ＨＤＤ２からのオーディオデータのフレームサイズのコントロールを行うためのサイズ合わせ用ＲＡＭ７５と、上記オーディオデータにデインターリーブ処理を施すと共に後述するようにインターリーブ処理を施すインターリーブ・デインターリーブ処理部７６と、ＨＤＤ制御部４４を介してＨＤＤ２から供給されてくるディジタルデータをディジタルＶＴＲ１に記録する際に用いられるパラレル−シリアル変換部８１と、シリアルデータＩ／Ｆ８２とを備えてなる。ここで、インターリーブ・デインターリーブ処理部７６は、ＣＰＵ７７、ＲＡＭ７８、ＲＯＭ７９及びインターリーブ・デインターリーブ用ＲＯＭ８０を備える。
【００２２】
このように構成されたシリアルデータＩ／Ｆ部４３の動作を、ディジタルＶＴＲ１からＨＤＤ２にデータを伝送する場合と、ＨＤＤ２からディジタルＶＴＲ１にデータを伝送する場合に分けて、以下に説明する。
【００２３】
先ず、ディジタルＶＴＲ１からＨＤＤ２にデータを伝送する場合の動作について説明する。ディジタルＶＴＲ１からのシリアルのディジタルデータは、シリアルデータＩ／Ｆ７１を経てシリアル−パラレル変換部７２に供給されてパラレルデータに変換された後、ヘッダ／データ分離部／付加部７３に供給される。ヘッダ／データ分離部／付加部７３は、上記パラレルデータからＡＶデータ部のみを抜き出し、オーディオデータ分離／混合部７４に供給する。オーディオデータ分離／混合部７４は、上記ＡＶデータ部からオーディオデータのみを分離する。このオーディオデータは、インターリーブ・デインターリーブ処理部７６でデインタリーブ処理が施されながら、サイズ合わせ用ＲＡＭ７５に格納される。このサイズ合わせ用ＲＡＭ７５に格納されたオーディオデータは、ＨＤＤアドレス／コントロール・データバス８４からＨＤＤ制御部４４に転送され、最終的にＨＤＤ２に記録される。
【００２４】
次に、ＨＤＤ２からディジタルＶＴＲ１にデータを伝送する場合のシリアルデータＩ／Ｆ処理部７６の動作を説明する。ＨＤＤ制御部４４の制御によりＨＤＤ２から再生されたデータは、アドレス／コントロール・データバス８４を通して、サイズ合わせ用ＲＡＭ７５に送られ書き込まれる。ここで、サイズ合わせ用ＲＡＭ７５は、ＨＤＤ２からのオーディオデータのフレームサイズのコントロールのために使われる。このとき、インターリーブ・デインターリーブ処理部７６では、システムコントローラ４１から送られる同期信号で計測される期間、必要なデータ量をＣＰＵ７７が算出し、前フレームに連続して該データ量にインターリーブ処理を施す。そして、オーディオデータは、オーディオデータ分離／混合部７４に送られ、ビデオデータと混合される。オーディオデータ分離／混合部７４からのＡＶデータは、ヘッダ／データ分離部／付加部７３にてヘッドが付加された後、パラレル−シリアルデータ変換部８１に送られる。パラレル−シリアルデータ変換部８１からのパラレルデータは、シリアルデータＩ／Ｆ８２を介してディジタルＶＴＲ１に供給される。
【００２５】
ＨＤＤ制御部４４は、図４に示すように、シリアルデータＩ／Ｆ部４３からデータバス８８及びアドレスコントロールバス８９を介して供給されるディジタルデータのリード／ライトのタイミングを制御するバスタイミング制御部９１と、ＶＴＲ／ＨＤＤ制御部４２からの命令にしたがってバスタイミング制御部９１を制御するコントローラ９２と、データバス８８に乗ったシリアルデータＩ／Ｆ部４３からのディジタルデータをＲＡＭ９８に書き込ませるバッファブロック９７と、バッファブロック９７から読み出されたデータをＨＤＤ２に供給する際に必要となるスモールコンピュータシステムインタフェース（ＳＣＳＩ）用のプロトコルコントローラ（ＳＰＣ）９９とを備えてなる。ここで、コントローラ９２は、ＣＰＵ９３と，ＤＰＲＡＭ９４と，ＲＯＭ９５と，ＲＡＭ９６とを備えてなる。
【００２６】
このように構成されたＨＤＤ制御部４４の動作についても、ディジタルＶＴＲ１からＨＤＤ２にデータを伝送する場合と、ＨＤＤ２からディジタルＶＴＲ１にデータを伝送する場合に分けて、以下に説明する。
【００２７】
先ず、ディジタルＶＴＲ１からＨＤＤ２にデータを伝送する場合の動作について説明する。シリアルデータＩ／Ｆ４３からデータバス８８を介してＨＤＤ制御部４４に供給されるディジタルデータは、コントローラ９２により制御されるバスタイミング制御部９１で与えられるタイミングによりバッファブロック９７のＲＡＭ９８に書き込まれる。読み出しは、ＳＰＣ９９によってダイレクトに行われ、そしてＨＤＤ２に書き込まれる。
【００２８】
次に、ＨＤＤ２からディジタルＶＴＲ１にデータを伝送する場合のＨＤＤ制御部４４の動作を説明する。この場合、ＨＤＤ２からのデータの読み出しは、ＳＰＣ９９によるＳＣＳＩプロトコルによって制御され、ダイレクトにバッファブロック９７のＲＡＭ９８に転送される。そして、バッファブロック９７からデータバス８８を介してシリアルデータＩ／Ｆ部４３にバスタイミング制御部９１からのタイミング制御にしたがってデータが転送される。
【００２９】
次に、ディジタルＶＴＲ１について図５〜図１１を参照しながら説明する。このディジタルＶＴＲ１は、図５に示すように、再生部１０と記録部２０からなる。
【００３０】
先ず、再生部１０は、４個の読取用回転磁気ヘッド１１a，１１b，１１c及び１１dを備えており、これら４個の読取用回転磁気ヘッド１１a〜１１dは、図６に示される如くに、磁気テープＴＰに形成された多数の傾斜記録トラックＴＫのうちの順次隣接する４本を、夫々、実質的に同時に走査するものとされ、それら４本の傾斜記録トラックＴＫに記録されたディジタル複合データを実質的に同時に読み取る。そして、読取用回転磁気ヘッド１１a〜１１dにより４本の傾斜記録トラックＴＫから読み取られたディジタル複合データＤＴa，ＤＴb，ＤＴc及びＤＴdが得られる。
【００３１】
なお、このディジタルＶＴＲでも、例えば、テレビジョン信号の各フレームが記録単位とされる。テレビジョン信号の１フレーム分とそれが記録される磁気テープ上の記録トラックとの関係は、例えば図７のようになる。テレビジョン信号の１フレーム分にアナログ／ディジタル変換（Ａ／Ｄ変換）を施して得られるディジタルデータは、磁気テープＴＰに順次配列形成される傾斜トラックＴＫのうちの隣合う１０本に振り分けて記録される。このような記録は、ディジタルデータが供給される読取用回転磁気ヘッド１１a，１１b，１１c及び１１dが矢印ＤＹ方向に走行する磁気テープＴＰに矢印ＤＨ方向に走査することによって行われる。
【００３２】
磁気テープＴＰに配列形成される多数の傾斜トラックＴＫの各々には、その始端側から終端側に向けて、その傾斜記録トラックＴＫにおけるデータ構造をあらわし、また、データ編集等に際しての位置の基準となるデータが記録された領域ＩＴ，テレビジョン信号中のオーディオ信号の内容をあらわすオーディオ情報データが記録された領域ＡＤ，テレビジョン信号中のビデオ信号の内容をあらわすビデオ情報データが記録された領域ＶＤ，及び、時間情報をあらわすタイムコードデータが記録された領域ＳＣが形成される。
【００３３】
読取用回転磁気ヘッド１１a〜１１dから夫々得られるディジタル複合データＤＴa〜ＤＴdは、夫々、ディジタルＲＦ処理部１２a，１２b，１２c及び１２dに供給される。ディジタルＲＦ処理部１２a，１２b，１２c及び１２dは、図８に示すように、それぞれ、再生増幅部１３1，イコライザ部１３2，ＰＬＬ部１３3，及びＡ／Ｄ変換部１３4とを備えてなる。再生増幅部１３1で増幅された上記ディジタル複合データＤＴaは、イコライザ部１３2で再生等価された後、ＰＬＬ部１３3で再生ＰＬＬがかけられ信号抽出のクロックを得て、Ａ／Ｄ変換器１３4でディジタル信号とされ、データ並換部１４に供給される。データ並換部１４においては、ディジタル複合データＤＴa〜ＤＴdが、各々が磁気テープＴＰ上の順次隣接する１０本の傾斜記録トラックＴＫに分散して記録され、それゆえ全体では順次隣接する４０本の傾斜記録トラックＴＫに記録された、連続する４フレーム分のテレビジョン信号を夫々個別にあらわすディジタルデータＤＦ1，ＤＦ2，ＤＦ3及びＤＦ4を形成すべく並べ換えられる。
【００３４】
データ並換部１４から得られるディジタルデータＤＦ1〜ＤＦ4は、夫々コーディング部１５a，１５b，１５c及び１５dに供給され、各々が１チャンネルの独立したデータを形成するため必要とされるコーディングが施されて、コーディッドディジタルデータＤＣ1，ＤＣ2，ＤＣ3及びＤＣ4とされ、それらがエラー訂正部１６a，１６b，１６c及び１６dに夫々供給される。
【００３５】
エラー訂正部１６a，１６b，１６c及び１６dにおいては、コーディッドディジタルデータＤＣ1，ＤＣ2，ＤＣ3及びＤＣ4の夫々についての、それらが有するインナーパリティ及びアウタパリティにより検出された符号エラーについてのエラー訂正処理及び時間軸補正が行われる。
【００３６】
そして、エラー訂正部１６a，エラー訂正部１６b，エラー訂正部１６c，及びエラー訂正部１６dから、エラー訂正処理及び時間軸補正が行われたディジタルデータＤＡ1，ＤＡ2，ＤＡ3，及びＤＡ4がシリアルデータ出力インターフェース（Ｉ／Ｆ）部１７に供給される。
【００３７】
このシリアルデータ出力Ｉ／Ｆ部１７は、エラー訂正部１６a，１６b，１６c及び１６dからパラレルで供給されたディジタルデータＤＡ1，ＤＡ2，ＤＡ3及びＤＡ4を、シリアルのディジタルデータに変換して、出力端子１８から編集制御装置３に供給する。
【００３８】
このため、編集制御装置３には４倍速再生されたオーディオ情報データが送られることになる。
【００３９】
一方、記録部２０では、入力端子２１を介して編集制御装置３から供給されたシリアルのディジタルデータをシリアルデータ入力Ｉ／Ｆ部２２がパラレルのＡＶデータｄａ1，ｄａ2，ｄａ3及びｄａ4に変換する。これらのディジタルデータｄａ1，ｄａ2，ｄａ3及びｄａ4は、誤り訂正符号（error  correction  code，以下ＥＣＣという。）付加部２３a，２３b，２３c及び２３dに供給されＥＣＣが付加される。ＥＣＣが付加されたディジタルデータｄｅ1，ｄｅ2，ｄｅ3及びｄｅ4は、それぞれコーディング部２４a，２４b，２４c及び２４dに供給され、１チャンネルの独立したデータを形成するためのコーディングが施されて、コーディッドディジタルデータｄｃ1，ｄｃ2，ｄｃ3及びｄｃ4とされ、それらがデータ並換部２５に供給される。
【００４０】
データ並換部２５は、上記コーディッドディジタルデータｄｃ1，ｄｃ2，ｄｃ3及びｄｃ4を図７に示した記録トラックＴＫに合わせて並び換えてから記録増幅部２６a，２６b，２６c及び２６dに供給する。記録増幅部２６a，２６b，２６c及び２６dからの増幅出力は、書込用回転磁気ヘッド２７a，２７b，２７c及び２７dを介して記録テープＴＰに記録される。
【００４１】
このため、編集制御装置３からのオーディオ情報データをディジタルＶＴＲ１が４倍速記録することができる。
【００４２】
上記再生部１０及び記録部２０の各部、さらに読取用回転磁気ヘッド、書込用回転磁気ヘッドを搭載している回転ドラムや、記録テープＴＰの走行等を制御す機構部３３は、コントローラ３０によって制御される。コントローラ３０には、制御信号用端子３１を介して編集用のコントロール信号が、また同期信号用端子３２を介して同期信号が編集制御装置３から供給される。
【００４３】
ここで、出力端子１８から導出されるディジタルデータは、図９の（Ａ），図９の（Ｂ），及び図９の（Ｃ）に示すようなオーディオ情報データ，ビデオ情報データ，及びサブコードによって構成されている。
【００４４】
オーディオ情報データは例えば、図１０に示すように、同期ブロック番号ｉが２〜１５とされる１４個のデータ同期ブロックを含み、各データ同期ブロックは、バイトポジション番号ｊが０〜８９とされる９０バイトをもって形成されている。
【００４５】
同期ブロック番号ｉが２〜１０である９個のデータ同期ブロックの各々は、最初の２バイト（バイトポジション番号ｊが０及び１）が同期データとされて、その次の３バイト（バイトポジション番号ｊが２〜４）がＩＤコードとされ、さらに次の５バイト（バイトポジション番号ｊが５〜９）がオーディオ補助データとされて、それに続く７２バイト（バイトポジョション番号ｊが１０〜８１）がオーディオデータとされ、そのオーディオデータに８バイト（バイトポジション番号ｊが８２〜８９）のインナーパリティが付加されて構成されている。ＩＤコードは、傾斜記録トラックに関する記録態様、同期ブロック番号ｉ等についての情報をあらわし、また、オーディオ補助データは、構成ビット数等を含むオーディオデータの記録条件に関する情報を表す。
【００４６】
また、同期ブロック番号ｉが１１〜１５である５個のデータ同期ブロックの各々は、最初の２バイト（バイトポジョン番号ｊが０及び１）が同期データとされて、その次の３バイト（バイトポジョン番号ｊが２〜４）がＩＤコードとされ、それに続く７７バイト（バイトポジション番号ｊが５〜８１）がアウターパリティとされ、そのアウターパリティに８バイト（バイトポジション番号ｊが８２〜８９）のインターパリティが付加されて構成されている。したがって、オーディオデータは、同期ブロック番号が２〜１０であり、かつ、バイトポジション番号ｊが１０〜８１である、図１０において斜線が付された範囲内に存在する。
【００４７】
ビデオ情報データも、図９の（Ｂ）に示したような、ビデオデータと、インナーパリティと、アウタパリティとによって構成される。
【００４８】
サブコードは、図９の（Ｃ）に示したように、サブコードとインナーパリティによっって構成される。
【００４９】
そして、これらの各データは、矢印で示すような再生順番で再生され、図１１に示すようなフォーマットで記録される。
【００５０】
以上のようなディジタルＶＴＲ１と、編集制御装置３と、ＨＤＤ２とによって構成された編集システムにより、ＨＤＤ２に記録されている素材情報を記録テープＴＰに記録されている下地情報の任意の点からディジタルＶＴＲ１を使って４倍速でアセンブル編集する処理を図１２を用いて以下に説明する。
【００５１】
ここでは、標本化周波数４８ＫＨｚ１６ビットのオーディオデータを５フレームのオーディオフレーム（ＡＦ）シーケンスにより分割した場合について説明する。５フレームのＡＦシーケンスとしては、上述したように５フレーム周期で一度１６００サンプル／フレームとなり、他が１６０２サンプル／フレームとなるような、１６００→１６０２→１６０２→１６０２→１６０２→１６００→１６０２・・・を使う。
【００５２】
なお、図１２に示す数字は、５フレームの内の各フレーム番号を示し、１は１６００サンプル／フレーム、残りの２，３，４，５は１６０２サンプル／フレームを示す。
【００５３】
先ず、記録テープＴＰ上のオーディオデータをＡＦシーケンスが判別できる分だけ、インポイントＩＮからクロスフェードするフレーム分を含んでディジタルＶＴＲ１により再生し、ＨＤＤ２に取り込む。この場合、ＶＴＲ／ＨＤＤ制御部４２は、記録テープＴＰのインポイントＩＮからクロスフェードする分のデータを取り込むため、コントロール信号Ｉ／Ｆ６６を介してディジタルＶＴＲ１のコントローラ３０にコントロール信号を供給し、機構部３３を使って記録テープＴＰをプリロールさせ、その後に再生させる。そして、Ａ点からインポイントＩＮまでがＨＤＤ２に記録される。
【００５４】
次に、ＨＤＤ２に取り込んだ記録テープＴＰからのデータに含まれるクロスフェードフレーム（フレーム番号１のＩＮ点のフレーム）と、ＩＮ点に接続するＨＤＤ内素材データにクロスフェード処理を施す。
【００５５】
ここで行われるクロスフェード処理は、１６００サンプル／フレームの内の例えば５１２ワードを用い１０ｍｓｅｃ以内に行われる。具体的には、ディジタルＶＴＲ１から取り込まれたＩＮ点のフレームの５１２サンプルを使って、フェードアウト処理音を作り、さらにこのフェードアウト処理音と２５６サンプル目で交差するようなフェードイン処理音をＨＤＤ内素材データのクロスフェード期間で作り、これらフェードアウト処理音とフェードイン処理音を２５６サンプル目で切り換えてクロスフェード処理音を作りだす。このようなクロスフェード処理音を用いたＩＮ点での切り換えによれば、切り換えノイズを抑えることができる。
【００５６】
次に、ディジタルＶＴＲ１で再生して得た下地情報のＡＦサイズ、すなわちＩＮ点でのフレームサイズ１６００を図３に示すシリアルデータＩ／Ｆ部４３のサイズ合わせ用ＲＡＭ７５にセットし、ＨＤＤ２でクロスフェード処理されたオーディオデータを４倍速で記録テープＴＰにディジタルＶＴＲ１を使って繋ぎ撮り編集する。
【００５７】
このようにして、上記編集システムは、ディジタルＶＴＲ１が４倍オーディオ編集機能を有せずとも４倍速でのアセンブル編集を可能とする。
【００５８】
次に、上記編集システムによる４倍速の繋ぎ撮り編集で図１２に示すようにして得られた情報に、さらにＨＤＤ２内素材情報をアセンブル編集する場合について図１３を用いて説明する。この場合、記録テープＴＰにはすでに上述したようにＨＤＤ２からの素材情報がアセンブル編集されており、ＨＤＤ制御部４４は終了点のフレームシーケンス情報を持っているので、新たに繋ぎ撮りする素材の開始を図１２に示すようにして得たフレームシーケンス４から、フレームシーケンス５をシリアルデータＩ／Ｆ部４３のサイズ合わせ用ＲＡＭ７５にセットしクロスフェード処理しながらオーディオデータを４倍速で記録テープＴＰにディジタルＶＴＲ１から繋ぎ撮りする。
【００５９】
次に、上記編集システムにより、ＨＤＤ２に記録されている素材情報を記録テープＴＰに記録されている下地情報の任意の点からディジタルＶＴＲ１を使って４倍速でインサート編集する処理を図１４を用いて以下に説明する。
【００６０】
先ず、記録テープＴＰ上のオーディオデータをＡＦシーケンスが判別できる分だけ、インポイントＩＮからクロスフェードするフレーム分を含んでディジタルＶＴＲ１により再生し、ＨＤＤ２に取り込む。この場合、ＶＴＲ／ＨＤＤ制御部４２は、記録テープＴＰのインポイントＩＮからクロスフェードする分のデータを取り込むため、コントロール信号Ｉ／Ｆ６６を介してディジタルＶＴＲ１のコントローラ３０にコントロール信号を供給し、機構部３３を使って記録テープＴＰをプリロールさせ、その後に再生させる。
【００６１】
次に、記録テープＴＰ上のインポイントＩＮから素材のＡＦサイズが連続しているか否かを確認し、連続していればアウトポイントＯＵＴの素材をＨＤＤ２に取り込む。
【００６２】
次に、ＨＤＤ２に取り込んだ記録テープＴＰからのデータに含まれるクロスフェードフレーム（フレーム番号１のＩＮ点のフレーム）と、ＩＮ点に接続するＨＤＤ内素材データにクロスフェード処理を施す。
【００６３】
そして、ＨＤＤ２では、ディジタルＶＴＲ１から取り込んだ下地情報のＡＦサイズを元にクロスフェードを含む素材全体のＡＦサイズを全てチェックする。ここで、ＡＦサイズが連続していれば、インサート素材の最後のフレーム５とアウトポイントＯＵＴとをクロスフェード処理して、４倍速でのインサート編集した結果を記録テープＴＰにディジタルＶＴＲ１を使って記録する。
【００６４】
ここで、ＡＦサイズが不連続であり不足していれば、インサート素材を多くとり、不足サイズ分だけインサート素材よりインサート素材調整分として借用する。また、ＡＦサイズが多い場合は、切り捨てする。
【００６５】
このようにして、ディジタルＶＴＲに４倍オーディオ編集機能を有せずとも４倍速でのインサート編集が可能となる。
【００６６】
なお、上記編集システムでは、アセンブル編集、インサート編集のような編集処理を４倍速にて行ったが、本発明では４倍速に限定するものではない。
【００６７】
また、オーディオデータのフレームシーケンスは、上記５フレームシーケンスに限定されるものではない。
【００６８】
【発明の効果】
本発明に係る編集システムは、編集制御装置が、記録再生装置が再生したディジタルオーディオ下地データを、フレームシーケンスが判別できる長さだけランダムアクセス記録再生装置に取り込ませ、所定長さのディジタルオーディオ下地データに対する編集点に対して上記素材データをクロスフェード処理し、クロスフェード処理後の編集データを記録再生装置に出力するので、編集時間を短縮できる。また、ランダムアクセス記録再生装置の既存部分を併用するので、コストダウンも実現できる。
【００６９】
また、本発明に係る編集方法は、ディジタルオーディオ下地データを、フレーム単位で分割されたディジタルオーディオデータの各フレーム当たりのサンプル数を所定のフレーム周期で繰り返すフレームシーケンスが判別できる長さだけ再生し、再生したディジタルオーディオ下地データを、Ｎ倍速記録再生が可能なランダムアクセス記録再生装置に取り込み、上記取り込まれた所定長さの下地データに対する編集点に対して素材データをクロスフェード処理して繋げ、クロスフェード処理後のデータを上記記録再生装置に出力するので、編集時間を短縮できる。
【図面の簡単な説明】
【図１】本発明に係る編集システム及び方法の実施例となるＡＶ編集システムのブロック図である。
【図２】上記ＡＶ編集システムを構成する編集制御部の要部となるＶＴＲ／ＨＤＤ制御部の詳細なブロック図である。
【図３】上記編集制御部の要部となるシリアルデータＩ／Ｆ部の詳細なブロック図である。
【図４】上記編集制御部の要部となるＨＤＤ制御部の詳細なブロック図である。
【図５】上記ＡＶ編集システムを構成するディジタルＶＴＲの詳細なブロック図である。
【図６】上記ディジタルＶＴＲが備える読取用回転磁気ヘッドが記録テープ上の複数の傾斜トラックのうちの４本を同時に走査そてディジタル複合データを同時に読み取る状態を説明する図である。
【図７】上記ディジタルＶＴＲがディジタルデータを記録再生する磁気テープの記録フォーマット図である。
【図８】上記ディジタルＶＴＲを構成するディジタルＲＦ処理部の詳細な構成を示すブロック図である。
【図９】上記ディジタルＶＴＲの再生部から出力されるオーディオ情報データ、ビデオ情報データ、サブコードデータのフォーマット図である。
【図１０】上記図９に示したオーディオ情報データの詳細なフォーマット図である。
【図１１】上記ディジタルＶＴＲの記録部から記録テープに記録されるＡＶデータのフォーマット図である。
【図１２】上記ＡＶ編集システムによるアセンブル編集を説明するための図である。
【図１３】上記図１２で説明したアセンブル編集により得られた情報にさらにアセンブル編集を行う場合を説明するための図である。
【図１４】上記ＡＶ編集システムによるインサート編集を説明するための図である。
【符号の説明】
１  ディジタルＶＴＲ、２  ハードディスクドライブ、３  編集制御装置、４１  システム制御部、４２  ＶＴＲ／ＨＤＤ制御部、４３  シリアルデータＩ／Ｆ部、４４  ＨＤＤ制御部
【図１】
0003755203.tif 000002
【図２】
0003755203.tif 000003
【図３】
0003755203.tif 000004
【図４】
0003755203.tif 000005
【図５】
0003755203.tif 000006
【図６】
0003755203.tif 000007
【図７】
0003755203.tif 000008
【図８】
0003755203.tif 000009
【図９】
0003755203.tif 000010
【図１０】
0003755203.tif 000011
【図１１】
0003755203.tif 000012
【図１２】
0003755203.tif 000013
【図１３】
0003755203.tif 000014
【図１４】
0003755203.tif 000015